(57)【要約】【課題】  偽造できないようセキュリティ特徴部が改善されたセキュアな紙幣を提供することを目的とする。【解決手段】  本発明による紙幣は、１つ又は複数のセキュリティ特徴部と、紙幣に埋め込まれた少なくとも１つのフレキシブルプリンテッドエレクトロニクス（ＦＰＥ）素子とを有している。そして、セキュリティ特徴部のうちの少なくとも１つと少なくとも１つのＦＰＥ素子とが互いに相互関係性を有することを特徴としている。【選択図】  図２
2017532656.tif 000002
【特許請求の範囲】
【請求項１】
１つ又は複数のセキュリティ特徴部と、
紙幣に埋め込まれた少なくとも１つのフレキシブルプリンテッドエレクトロニクス（ＦＰＥ）素子と
を備え、前記１つ又は複数のセキュリティ特徴部のうちの少なくとも１つと前記少なくとも１つのＦＰＥ素子とが互いに相互関係性を有する、紙幣。
【請求項２】
前記ＦＰＥ素子はパッシブ電子素子又はアクティブ電子素子である、請求項１に記載の紙幣。
【請求項３】
前記紙幣が製造されるときに前記ＦＰＥのメモリに記憶された暗号化された署名をさらに備え、
前記ＦＰＥは、特定の現金自動預入支払機（ＡＴＭ）又はリーダによって適切に復号されるときに可読である、請求項１又は２に記載の紙幣。
【請求項４】
前記相互関係性は、前記紙幣を認証するために検証可能である、請求項１〜３のいずれか一項に記載の紙幣。
【請求項５】
前記相互関係性は、前記１つ又は複数のセキュリティ特徴部のうちの第１のセキュリティ特徴部の特性と、前記１つ又は複数のセキュリティ特徴部のうちの第２のセキュリティ特徴部の特性との間の係数及び倍数のうちの１つを含む、請求項１〜４のいずれか一項に記載の紙幣。
【請求項６】
少なくとも１つのＦＰＥ素子は、無線自動識別装置（ＲＦＩＤ）、センサ、トランジスタ、フレキシブルディスプレイ、フレキシブルバッテリ、電子チップ、メモリ、フレキシブル近距離通信（ＮＦＣ）デバイス及びフレキシブル通信デバイスからなる群から選択された１つ又は複数の要素を備える、請求項１〜５のいずれか一項に記載の紙幣。
【請求項７】
前記センサ又は前記トランジスタは解析能力を有し、好ましくは、前記センサ又は前記トランジスタは、キャパシタンス、インピーダンス、及び前記紙幣のｐＨ値のうちの少なくとも１つを検出するように動作可能である、請求項６に記載の紙幣。
【請求項８】
前記１つ又は複数のセキュリティ特徴部は、シリアル番号と、セキュリティインクで作製された印刷されたパターン、設計又はコードと、凹版印刷パターン又は設計と、セキュリティスレッド又はストライプと、窓と、繊維と、硬貨地板と、箔と、デカールと、ホログラムと、マイクロ印刷と、微細線印刷パターンと、３次元（３Ｄ）セキュリティリボンと、透かしとからなる群から選択される、請求項１〜７のいずれか一項に記載の紙幣。
【請求項９】
前記ＦＰＥ素子は、１つ又は複数の印刷された層を備え、前記１つ又は複数の印刷された層のうちの少なくとも１つは１つ又は複数のマーカ材料又は追跡用添加物を含む、請求項１〜８のいずれか一項に記載の紙幣。
【請求項１０】
少なくとも１つのプラスチック層及び少なくとも１つの有機層を有する有機薄膜トランジスタをさらに備え、
前記１つ又は複数のセキュリティ特徴部は、前記有機薄膜トランジスタ内に無機分子及び蛍光分子のうちの少なくとも１つを含む、請求項１〜９のいずれか一項に記載の紙幣。
【請求項１１】
前記少なくとも１つのＦＰＥは、少なくとも２つのＦＰＥを備え、前記少なくとも２つのＦＰＥのうちの複数間のＦＰＥ相互関係をさらに備える、請求項１〜１０のいずれか一項に記載の紙幣。
【請求項１２】
前記ＦＰＥ素子の各々は、異なる吸収スペクトル又は放射スペクトルを有する１組の分子で表される化学的な鍵物質を含む１つ又は複数のセキュリティ特徴部を備え、前記紙幣は、各紙幣内に配備されたセキュアなＦＰＥのｎ＊ｍ個の潜在的な組合せを与える「ｎ」個のＦＰＥ及び「ｍ」個の発光性化合物を含むことが好ましい、請求項１１に記載の紙幣。
【請求項１３】
ＦＰＥの前記相互関係性は、前記少なくとも２つのＦＰＥのうちの複数間で、空間的関係性及び／又は相対サイズ関係性を含む、請求項１１に記載の紙幣。
【請求項１４】
ＦＰＥの前記相互関係性自体が、前記１つ又は複数のセキュリティ特徴部のうちの少なくとも１つと相互に関係付けられているか、又はＦＰＥの前記相互関係性自体が、前記１つ又は複数のセキュリティ特徴部と少なくとも１つのＦＰＥとの間の相互関係性と相互に関係付けられている、請求項１１に記載の紙幣。
【請求項１５】
紙幣を作製する方法であって、
１つ又は複数のセキュリティ特徴部を備える紙幣を用意するステップと、
前記紙幣に少なくとも１つのフレキシブルプリンテッドエレクトロニクス（ＦＰＥ）素子を含めるステップと
を含み、
前記１つ又は複数のセキュリティ特徴部のうちの少なくとも１つと少なくとも１つのＦＰＥ素子とが互いとの相互関係性を有する、紙幣を作製する方法。
【請求項１６】
紙幣の１つ又は複数のセキュリティ特徴部を検出するステップと、
前記紙幣内の少なくとも１つのフレキシブルプリンテッドエレクトロニクス（ＦＰＥ）素子を検出するステップであって、前記１つ又は複数のセキュリティ特徴部のうちの少なくとも１つと少なくとも１つのＦＰＥ素子とが互いに相互関係性を有する、ステップと、
適正な相互関係を検証して前記紙幣を認証するステップと
を含む、紙幣を認証する方法。
【請求項１７】
複数の層を含むフレキシブルプリンテッドエレクトロニクス（ＦＰＥ）であって、少なくとも１つの層は、異なる吸収スペクトル又は放射スペクトルを有する１組の分子で表される化学的な鍵物質を含む１つ又は複数のセキュリティ特徴部を備える、ＦＰＥ。
【発明の詳細な説明】
【技術分野】
【０００１】
[001]本発明は、よりセキュアな（安全な）紙幣に関し、特に、相互に関係付けられた特徴部を有する紙幣に関する。
【背景技術】
【０００２】
[002]カラーコピー及びカラー印刷の品質が絶えず改善するのに伴い、セキュリティ文書、特に、偽造又は違法複製に対し高い抵抗性を必要とする寿命の長いセキュリティ文書、例えば紙幣を保護するための試みにおいて、これらの文書に様々なセキュリティ手段を組み込むことが従来から行われてきた。特に、セキュリティ手段は通常、様々な技術分野から選択され、様々な供給元によって製造され、セキュリティ文書の様々な構成部分に埋め込まれる。セキュリティ文書を解読するためには、偽造者は、内包された材料の全てを取得し、必要な処理技術の全てに対しアクセスを得る必要があるが、これは非常に達成しにくい作業である。セキュリティ手段の一般的な例は、光学可変性顔料、磁性又は磁化可能顔料、干渉コーティング粒子、サーモクロミック顔料、フォトクロミック顔料、発光性化合物、赤外線吸収化合物、紫外線吸収化合物を含む、セキュリティスレッド、窓、繊維、硬貨地板、箔、デカール、ホログラム、透かし、セキュリティインクを含む。
【０００３】
[003]貨幣を偽造することが社会に対して有する悪影響のうちのいくつかは、実物の貨幣の価値の低下と、より多くの貨幣が経済に流通すること、すなわち貨幣の供給の不正な人工的増加に起因した価格の上昇（インフレーション）と、紙の貨幣の受容性の低下（支払先が、実物の貨幣の電信振替又は別の貨幣での支払い（又はさらには金等の貴金属での支払い）を要求する場合がある）と、銀行によって検出された偽造貨幣に対して、この偽造貨幣が没収された場合であっても取引者に払い戻されない場合の損失とを含む。さらに、主要な悪影響は、貨幣及び政府の信用低下にある。
【発明の概要】
【発明が解決しようとする課題】
【０００４】
[004]したがって、セキュリティ特徴部が改善された紙幣が必要とされている。
【課題を解決するための手段】
【０００５】
[005]本開示の実施形態は、１つ又は複数のセキュリティ特徴部と、紙幣に埋め込まれた少なくとも１つのフレキシブルプリンテッドエレクトロニクス（flexible printed electronic）（ＦＰＥ）素子とを含む紙幣を対象とする。１つ又は複数のセキュリティ特徴部のうちの少なくとも１つと少なくとも１つのＦＰＥ素子とが互いに相互関係性を有する。
【０００６】
[006]実施形態では、少なくとも１つのＦＰＥ素子はパッシブ電子素子である。いくつかの実施形態では、少なくとも１つのＦＰＥ素子はアクティブ電子素子である。
【０００７】
[007]更なる実施形態では、紙幣は、紙幣が製造されるときに少なくとも１つのＦＰＥのメモリに記憶された暗号化された署名をさらに含み、上記ＦＰＥは、特定のＡＴＭ（現金自動預入支払機）又はリーダによって適切に復号されるときに可読である。
【０００８】
[008]また更なる実施形態では、相互関係性は、紙幣を認証するために検証可能である。
【０００９】
[009]いくつかの実施形態では、相互関係性は、１つ又は複数のセキュリティ特徴部のうちの第１のセキュリティ特徴部の特性と、１つ又は複数のセキュリティ特徴部のうちの第２のセキュリティ特徴部の特性との間の係数及び倍数のうちの１つを含む。
【００１０】
[0010]実施形態では、相互関係性は、紙幣のための向上したセキュリティ能力を提供する。
【００１１】
[0011]実施形態では、本明細書において説明される１つ又は複数のセキュリティ特徴部は、シリアル番号と、セキュリティインクで作製された印刷されたパターン、設計又はコードと、凹版印刷パターン又は設計と、セキュリティスレッド又はストライプと、窓と、繊維と、硬貨地板と、箔と、デカールと、ホログラムと、マイクロ印刷と、３Ｄ（３次元）セキュリティリボンと、透かしとからなる群から選択される。
【００１２】
[0012]いくつかの実施形態では、ＦＰＥ素子は、ＲＦＩＤ（無線自動識別装置）、センサ、トランジスタ、フレキシブルディスプレイ、フレキシブルバッテリ、電子チップ、メモリ、フレキシブル近距離通信（ＮＦＣ）デバイス及びフレキシブル通信デバイスからなる群から選択された１つ又は複数の要素を含む。
【００１３】
[0013]更なる実施形態では、少なくとも１つのＦＰＥは、解析能力を有するセンサ又はトランジスタを含む。また更なる実施形態では、センサ又はトランジスタは、キャパシタンス、インピーダンス、及び紙幣のｐＨ値のうちの少なくとも１つを検出するように動作可能である。
【００１４】
[0014]更なる実施形態では、少なくとも１つのＦＰＥ素子は複数の印刷された層を含み、印刷された層のうちの少なくとも１つは１つ又は複数のマーカ材料又は追跡用添加物を含む。
【００１５】
[0015]また更なる実施形態では、紙幣は、少なくとも１つのプラスチック層及び少なくとも１つの有機層を有する有機薄膜トランジスタをさらに含み、１つ又は複数のセキュリティ特徴部は、有機薄膜トランジスタ内に無機分子及び蛍光分子のうちの少なくとも１つを含む。実施形態では、無機分子及び蛍光分子が、１つ又は複数の所定のスペクトル特性を有する電磁スペクトルのＵＶ、ＮＩＲ、ＩＲ範囲から選択された分子から選択される。上記１つ又は複数の所定の特性のうちの少なくとも１つは１つ又は複数の他のセキュリティ特徴部と相互に関係付けられていることが好ましい。１つ又は複数の他のセキュリティ特徴部との上記相互関係は、発光のｌａｍｂｄａ  ｍａｘ（λｍａｘ）を、λｍａｘの整数の倍数又は係数として含むことがより好ましい。
【００１６】
[0016]また更なる実施形態では、ＦＰＥは少なくとも２つのＦＰＥを含み、複数の少なくとも２つのＦＰＥ間のＦＰＥ相互関係をさらに含む。
【００１７】
[0017]いくつかの実施形態では、上記少なくとも２つのＦＰＥの各ＦＰＥは、異なる吸収スペクトル又は放射スペクトルを有する１組の分子で表される化学的な鍵物質を含む１つ又は複数のセキュリティ特徴部を含む。
【００１８】
[0018]いくつかの実施形態では、紙幣は、各紙幣内に配備されたセキュアなＦＰＥのｎ＊ｍ個の潜在的な組合せを与える「ｎ」個のＦＰＥ及び「ｍ」個の発光性化合物をさらに含む。上記各紙幣は、セキュアなＦＰＥのｎ＊ｍ個の潜在的な組合せに基づいて追跡可能であることが好ましい。
【００１９】
[0019]また更なる実施形態では、ＦＰＥ相互関係は、１つ又は複数のセキュリティ特徴部及び／又は複数の少なくとも２つのＦＰＥ間で、空間的関係性及び／又は相対サイズ関係性を含む。上記空間的関係性は、ＦＰＥトランジスタが、磁性セキュリティスレッド若しくはストライプ又はカラーシフト効果パターンから３ｃｍの距離に配置されることが好ましい。
【００２０】
[0020]いくつかの実施形態では、ＦＰＥ相互関係自体が、複数のセキュリティ特徴部のうちの少なくとも１つと相互に関係付けられている。
【００２１】
[0021]更なる実施形態では、ＦＰＥ相互関係自体が、セキュリティ特徴部のうちの少なくとも１つと、少なくとも１つのＦＰＥとの間の相互関係性と相互に関係付けられている。
【００２２】
[0022]本開示の実施形態は、１つ又は複数のセキュリティ特徴部を含む紙幣を対象とする。１つ又は複数のセキュリティ特徴部のうちの少なくとも２つが互いに相互関係性を有する。
【００２３】
[0023]本開示の実施形態は、紙幣に１つ又は複数のセキュリティ特徴部を提供し、紙幣に少なくとも１つのフレキシブルプリンテッドエレクトロニクス（ＦＰＥ）素子を含めることを含む、紙幣を作製する方法も対象とする。１つ又は複数のセキュリティ特徴部のうちの少なくとも１つと少なくとも１つのＦＰＥ素子とが互いとの相互関係性を有する。上記相互関係性は、紙幣を認証するために検証可能であることが好ましい。
【００２４】
[0024]いくつかの実施形態では、少なくとも１つのＦＰＥ素子は紙幣に埋め込まれる。
【００２５】
[0025]本開示の実施形態は、紙幣の１つ又は複数のセキュリティ特徴部を検出することと、紙幣内の少なくとも１つのフレキシブルプリンテッドエレクトロニクス（ＦＰＥ）素子を検出することと、適切な相互関係性を検証して紙幣を認証することとを含む紙幣を認証する方法も対象とする。セキュリティ特徴部のうちの少なくとも１つと少なくとも１つのＦＰＥ素子とが互いに相互関係性を有する。
【００２６】
[0026]本開示の更なる実施形態は、複数の層を含むＦＰＥを対象とする。少なくとも１つの層は、異なる吸収スペクトル又は放射スペクトルを有する１組の分子で表される化学的な鍵物質を含むセキュリティ特徴部を含む。
【００２７】
本発明の実施形態の非限定的な例として示される複数の図面を参照して、本発明の実施形態が、以下に続く詳細な説明においてさらに説明される。図面において、同様の符号は、図面のいくつかのビューにわたって同様の要素を表す。
【図面の簡単な説明】
【００２８】
【図１】本明細書に説明される実施形態による使用のための例示的なシステムを概略的に示す図である。
【図２】セキュリティ特徴部を含む例示的な紙幣を示す図である。
【図３】本開示の実施形態による紙幣を概略的に示す図である。
【図４】本開示の実施形態の態様を実行するための例示的なフローを示す図である。
【図５】本開示の実施形態の態様を実行するための例示的なフローを示す図である。
【発明を実施するための形態】
【００２９】
[0032]このため、本開示は、本開示の様々な態様、実施形態及び／又は特定の特徴若しくは部分構成要素のうちの１つ又は複数を通じて、以下で具体的に示されるような利点のうちの１つ又は複数をもたらすように意図される。
【００３０】
[0033]本明細書に示す詳細は例示であり、本発明の実施形態の例証的な論考のみを目的としており、本発明の原理及び概念的態様の最も有用で容易に理解される説明であると考えられるものを提供するために提示される。これに関して、本発明の基本的な理解に必要であるよりも詳細に本発明の構造的詳細を示すための試みは行われておらず、説明は図面と共に読まれ、本発明の形態がどのように実際に実現され得るかを当業者に明らかにする。本発明の態様をより明確に示すために、例示的な概略表現の少なくともいくつかは必ずしも縮尺どおりに描かれていないことが理解されるべきである。
【００３１】
[0034]本発明の特定の実施形態の上記の説明は、例示及び説明の目的で提示された。これらは、包括的であることも、本発明を開示される厳密な形態に限定することも意図されておらず、明らかに、上記の教示に鑑みて、多くの変更及び変形が可能である。例示的な実施形態は、本発明及び本発明の実際の用途の原理を最も良好に説明するために選択及び記載され、以って、他の当業者が、想定される特定の使用に適した様々な変更を用いて本発明及び様々な実施形態を最も良好に利用することを可能にする。
【００３２】
[0035]本明細書において用いられるとき、単数形（「a」、「an」及び「the」）は、文脈により明確に別段の指示がない限り、複数の参照物を包含する。別段の指定がない限り、明細書及び特許請求の範囲において用いられる量等を表す全ての数は、全ての事例において、用語「約」によって修飾されているものと理解される。したがって、逆の指定がない限り、明細書及び特許請求の範囲において示される数値パラメータは、本発明によって得ようとする所望の特性に依拠して変動する場合がある概算である。少なくとも、特許請求の範囲の適用範囲の均等物の原理の適用を限定しようとするものであると考えられるのではなく、各数値パラメータは、有効桁数及び通常の概算の慣例を鑑みて解釈されるべきである。
【００３３】
[0036]本明細書において開示される様々な実施形態は、特に逆のことが述べられない限り、別個に、及び様々な組合せで用いることができる。
【００３４】
[0037]フレキシブルプリンテッドエレクトロニクス（ＦＰＥ）素子（本明細書においてＦＰＥとも呼ばれる）は、印刷方法で形成された、様々な基板上のプリンテッドエレクトロニクス又は電気デバイスを含む。ＦＰＥは、薄く、軽量で、可撓性である。印刷は通常、スクリーン印刷、フレキソ印刷、グラビア印刷、オフセット印刷及び／又はインクジェット印刷等の、材料上でパターン又は設計を定義するのに適した一般的な印刷機器を用いる。電気的に機能する電子インク又は光学インクが基板上に堆積され、例えば、薄膜トランジスタ又はレジスタ等の、アクティブデバイス又はパッシブデバイスが作成される。ＦＰＥを形成するように、複数のインク層が互いの上に塗布される。フレキシブル基板への印刷により、電子部品が、例えば、貨幣（例えば、紙幣）内の湾曲した（又は湾曲可能な）表面上に配置されることが可能になる。実施形態では、ＦＰＥは、フレキシブル基板に、複数構成要素の統合及び埋め込まれた機能を提供する。
【００３５】
[0038]ＦＰＥは、１つ又は複数の電子インク（例えば、ＦＰＥの半導体特性のためのインク、ＦＰＥ導体の導体特性のためのインク、及びＦＰＥの絶縁体特性のためのインク）を用いて、導体及び絶縁体等を印刷することによって形成することができる。これらのインク層は、例えば、グラビア印刷（例えば、光機械式位置合わせを用いた、レジストレーションされた高精度グラビア印刷）を用いて印刷し、フレキシブル基板上に多層スタックを形成することができる。これらのインク層を、インクジェットによって印刷し、精密な位置合わせを有する多層スタックを形成することもできる。通常、熱焼結プロセスを用いてインクを機能化し、例えば、フィルムを機能化し、溶媒を除去し、印刷された層の焼結を可能にする。
【００３６】
[0039]内容全体が参照により本明細書に明示的に援用される、Lim他「organic thin-film transistors onplastic substrates」、Materials Science and Engineering:B、Volume 121、Issue 3、2005年8月15日、211-215頁に記載されているように、有機薄膜トランジスタ（ＯＴＦＴ）は、上面接触ジオメトリを用いて、ポリエーテルスルホン（ＰＥＳ）及びシリコン（Ｓｉ）基板上で製造された。ソース電極及びドレイン電極のために、様々な仕事関数を有するいくつかの種類の金属が用いられ、最適な製造条件が得られた。フォトクロスリンク可能なポリマゲート誘電体及び熱酸化シリコン（ＳｉＯ２）が、それぞれプラスチックＯＴＦＴ及びＳｉ  ＯＴＦＴのために用いられた。
【００３７】
[0040]ＦＰＥ、例えば、プリント回路、ディスプレイ、又は１つ又は複数の電子チップを紙幣に統合するための試みが行われてきたが、これらの要素は、ほとんどの場合パッシブ要素であり、電源を有していない。例えば、ＲＦＩＤは、データの記憶のみをサポートし、内部に記憶されたデータを得るために呼びかけ可能（interrogatable）である。試みられた手法により、ディスプレイ（例えば、スクリーン）は、一般的な情報及び／又は紙幣の使用に関係した情報を表示する。既存の手法によれば、印刷された電子素子は、（例えば、スタンドアロン方式で）それぞれの独自の機能しか提供しない。
【００３８】
[0041]本開示の態様によれば、少なくとも１つのＦＰＥ素子は、例えば、個々の機能に加えて、紙幣の１つ又は複数の他のセキュリティ特徴部に相関し、及び／又は既存の紙幣セキュリティ特徴部に対する追加のセキュリティ特徴部として同時に作用する。ＦＰＥは、紙幣の特性及び厚みと一致するように用いられ、１つ又は複数のセキュリティ特徴部とのＦＰＥの相互関係は、紙幣に対し、高度なセキュリティを与える。本開示の態様によれば、紙幣は、相互に関係した方式で、既存のセキュリティ特徴部を有する紙幣内／上に特定の方式で挿入される１つ又は複数のセキュアなＦＰＥの形態の追加の機能により交換価値を与える。
【００３９】
[0042]本開示の実施形態は、１つ又は複数のセキュリティ特徴部と、少なくとも１つのフレキシブルプリンテッドエレクトロニクス（ＦＰＥ）素子を含む紙幣を対象とし、１つ又は複数のセキュリティ特徴部のうちの少なくとも１つと、少なくとも１つのＦＰＥ素子とが互いに相互関係性を有する（例えば、リンクされている）。本開示の更なる実施形態は、紙幣を作製する方法を対象とし、本方法は、１つ又は複数のセキュリティ特徴部を含む紙幣に、少なくとも１つのフレキシブルプリンテッドエレクトロニクス（ＦＰＥ）素子を含めることを含み、１つ又は複数のセキュリティ特徴部のうちの少なくとも１つと、少なくとも１つのＦＰＥ素子とが互いに相互関係性を有する。本開示の態様を実施することによって、拡張された機能を有する紙幣が提供される。本開示の態様によれば、ＦＰＥとセキュリティ特徴部（複数可）との間の相互関係性は、紙幣を認証するために検証可能である。
【００４０】
[0043]本開示の更なる実施形態は、紙幣を認証する方法を対象とし、本方法は、紙幣の１つ又は複数のセキュリティ特徴部を検出することと、紙幣内の少なくとも１つのフレキシブルプリンテッドエレクトロニクス（ＦＰＥ）素子を検出することとを含み、１つ又は複数のセキュリティ特徴部のうちの少なくとも１つと少なくとも１つのＦＰＥ素子とが互いに相互関係性を有する。本方法は、適切な相互関係性を検証して紙幣を認証することをさらに含む。
【００４１】
[0044]いくつかの実施形態では、フレキシブルプリンテッドエレクトロニクスは、インク印刷技法によって生成することができる、有機薄膜トランジスタ（ＯＴＦＴ）又は有機電子部品とすることができる。いくつかの実施形態では、ＦＰＥ素子は、ＲＦＩＤ、センサ、トランジスタ、フレキシブルディスプレイ、フレキシブルバッテリ、電子チップ、メモリ、フレキシブル近距離通信（ＮＦＣ）デバイス及びフレキシブル通信デバイスからなる群から選択された１つ又は複数の素子を含む。例えば、印刷されたＯＴＦＴは、ディスプレイ（例えば、ＯＬＥＤ薄型ディスプレイ）、インテリジェントタグ、広域センサ、スマートラベル、フレキシブルメモリ、及び／又は集積回路のために用いることができる。実施形態では、ＦＰＥ素子のうちの少なくとも１つはパッシブ電子素子である。更なる実施形態では、ＦＰＥ素子のうちの少なくとも１つはアクティブ電子素子である。
【００４２】
[0045]いくつかの実施形態では、少なくとも１つのＦＰＥ素子が紙幣に埋め込まれる。実施形態では、少なくとも１つのＦＰＥは、（例えば紙等の）基板内又は基板の上（例えば、紙幣の面のうちの１つの上）に配置されてもよく、及び／又は紙幣の透明な窓に挿入されてもよい。更なる実施形態では、少なくとも１つのＦＰＥは、紙幣のセキュリティスレッド又はストライプ内に位置してもよい。実施形態では、ＦＰＥは、紙幣内の様々な厳密な場所（例えば、一方を角に、他方を中央に等）に位置してもよい。
【００４３】
[0046]紙幣は、紙幣の信頼性を保護するために、１つ又は複数のセキュリティ特徴部を含む。例えばセキュリティ文書のためのセキュリティ特徴部は、通常、一方では「隠在的」セキュリティ特徴部に分類され、他方では「顕在的」セキュリティ特徴部に分類され得る。隠在的セキュリティ特徴部によって提供される保護は、そのような特徴部が検出することが難しく、通常、検出のための専用の機器又は計器及び知識を必要とするという概念に依拠するのに対し、「顕在的」セキュリティ特徴部は、人間の感覚で支援なしで容易に検出可能であるという概念に依拠し、例えば、そのような特徴部は、可視であり、及び／又は触覚により検知可能でありながら、生成及び／又はコピーを難しくすることができる。紙幣のためのセキュリティ特徴部の通常の例は、限定ではないが、シリアル番号と、セキュリティインク（例えば、磁性インク、発光性インク、磁性インク、カラーシフトインク、ＩＲ吸収インク、ＵＶ吸収インク及び追跡用添加物インク）で作製された、印刷されたパターン、設計又はコードと、凹版印刷されたパターン又は設計と、セキュリティスレッド又はストライプと、窓と、繊維と、硬貨地板と、箔と、デカールと、ホログラムと、マイクロプリントと、３Ｄ（３次元）セキュリティリボンと、透かしとを含む。上記１つ又は複数のセキュリティ特徴部は、紙幣自体に含まれてもよく、すなわち、紙幣の基板内に埋め込まれてもよく、又は紙幣の表面上に存在してもよい。図２は、基板（０）と、旗（１０）及びシリアル番号であるセキュリティ特徴部（１）と、金額の数字（２；３）（上記金額の数字のうちの１つがカラーシフトインクで形成される）と、凹版印刷設計（４）と、発光性インクで形成されたパターン（５）と、基板（０）に組み込まれた発光性繊維（６）と、セキュリティスレッド（７）と、透明な窓（８）と、ホログラム（９）とを含む紙幣を示す。
【００４４】
[0047]貨幣検出器又は貨幣検証器は、紙幣又はコインが本物であるか又は偽造物であるかを判断するデバイスである。これらのデバイスは、小売店キオスク、セルフチェックアウトマシン、ゲーム機、輸送機関の駐車機械、自動料金徴収機及び自動販売機において見られる多くの自動化機械において用いられる。検証プロセスは、挿入された紙幣を検査し、様々な試験を用いることによって、紙幣が偽造物であるか否かを判断することを含むことができる。パラメータは紙幣ごとに異なるため、これらの検出器は、受け入れることになる各アイテムについてプログラムされ得る。
【００４５】
[0048]フォトセル又は小型デジタルカメラと呼ばれる小さな光検出器を用いた光検知は、自動販売機が用いる主な技法のうちの１つである。光センサは、これらの異なるパターンを調べて、どの種類の紙幣が挿入されているかを判断することができる。例えば、ドル紙幣は、紫外光によって照明されると、蛍光を呈する。いくつかの機械は、紙幣に紫外光を照らし、発光を測定して、調べている対象物の判別に役立てる。
【００４６】
[0049]磁性インクは、一般的に、偽造又は違法複製に対する紙幣の保護のためのセキュリティパターン、設計又はコードを生成するために印刷される。紙幣のための適切な磁性インクは、通常、ニッケル、コバルト、鉄、これらの酸化物、これらの合金及びこれらの組合せからなる群から選択される１つ又は複数の材料を含む。したがって、紙幣を検証するために磁気検知も用いることができる。実施形態では、紙幣は、永久磁石アレイを通され、紙幣の進行方向に沿って磁化される。進行方向に平行な検知軸から数インチ離れて位置する磁性センサは、インク粒子の残留場を検出することができる。
【００４７】
[0050]さらに、限定ではないが、紙幣の厚み及び寸法を含む紙幣の物理的属性を試験して、これらの物理的属性が正しいことを確実にすることができる。紙幣がローラ間を通るとき、電圧は紙幣の厚みに応じて変動する。
【００４８】
[0051]紙幣は、セキュリティスレッド又はストライプを含むことができ、上記セキュリティスレッド又はストライプは、少なくとも部分的に紙幣に埋め込まれてもよく、又は紙幣の表面上に搭載されてもよい。セキュリティスレッド又はストライプは、紙幣の公的認証及び／又は機械認証に役立つ特定のセキュリティ素子を担持する。セキュリティスレッド又はストライプのための追加のセキュリティ特徴部の通常の例は、光学的に変動する材料、発光性材料、ＩＲ吸収材料及び磁性材料を含む。
【００４９】
[0052]いくつかの実施形態では、少なくとも１つのＦＰＥと１つ又は複数のセキュリティ特徴部との間の相互関係性は、セキュリティ特徴部の特性とＦＰＥの特性との間の係数又は倍数を含む。ＦＰＥ素子は、１つ又は複数の印刷された層を含み、印刷された層のうちの少なくとも１つは、１つ又は複数のマーカ材料又は追跡用添加物を含む。例示的で非限定的な実施形態では、ＦＰＥ（例えば、ＯＴＦＴ）を、１つ又は複数のセキュリティ発光性化合物で機能化することができる（例えば、１つ又は複数のセキュリティ発光性化合物が、例えば、ＦＰＥの一部分に適用及び／又は統合される）。実施形態では、１つ又は複数の印刷された層は、マーカ組成物（当該技術分野において、追跡用添加物組成物とも呼ばれる）、発光性インク、磁性インク等を含むことができる。また更なる実施形態では、紙幣は、少なくとも１つのプラスチック層及び少なくとも１つの有機層を有する有機薄膜トランジスタを含むことができ、１つ又は複数のセキュリティ特徴部は、有機薄膜トランジスタ内に無機分子及び蛍光分子のうちの少なくとも１つを含む。発光性分子は、１つ又は複数の所定のスペクトル特性を有する電磁スペクトルのＵＶ、ＮＩＲ、ＩＲ範囲から選択された分子から選択することができる。
【００５０】
[0053]セキュリティ発光性化合物は、そのようなロケーションに、及び／又はＯＴＦＴの意図される挙動に影響を及ぼさないようにして適用及び／又は統合される。本開示の実施形態の態様によれば、ＦＰＥのセキュリティ発光性化合物は、紙幣内又は紙幣上に存在する１つ又は複数の他のセキュリティ特徴部（例えば、紙幣のセキュリティインク、又は紙幣に埋め込まれるか若しくは搭載されたセキュリティスレッド若しくはストライプ）と相互に関係付けられている。例示的な非限定的な実施形態では、ＦＰＥは、倍数又は整数の関係によって、発光性素子（例えば、印刷された発光性パターン、紙幣に埋め込まれるか若しくは搭載された発光性セキュリティスレッド若しくはストライプ、又は紙幣の基板に組み込まれた発光性繊維）のλｍａｘと相関するλｍａｘを有する蛍光組成物を含む。いくつかの実施形態では、分子の１つ又は複数の所定のスペクトル特性のうちの少なくとも１つは、紙幣の１つ又は複数の他のセキュリティ特徴部と相互に関係付けられている。例えば、相互関係は、紙幣の別のセキュリティ特徴部のλｍａｘの整数倍数又は係数として、発光のλｍａｘを含むことができる。本開示の実施形態の態様によれば、相互関係性は、紙幣のための向上したセキュリティ機能を提供する。
【００５１】
[0054]実施形態では、フレキシブル構造は、内部にセキュリティ特徴部を埋め込む。いくつかの実施形態では、上述したように、例えば、ＦＰＥの印刷された素子を支持するフレキシブルプラスチックシートは、マーキングも支持することができ、マーキングを加えることによって機能化することができる。さらに、ＦＰＥが形成された後、マーキング保護層を加えることによって、ＦＰＥ機能及び能力を維持する無彩色のニス（例えば、透明）を機能化することができる。
【００５２】
[0055]更なる実施形態では、少なくとも１つのＦＰＥが、紙幣のキャパシタンス、インピーダンス及びｐＨ値のうちの少なくとも１つを検出するように動作可能な解析機能を有するセンサ又はトランジスタを含む。ＦＰＥ（又は追加のＦＰＥ）は、（例えば、以前に測定された）紙幣のキャパシタンス、インピーダンス及びｐＨ値のうちの少なくとも１つを記憶するためのデータ記憶機能を有する。本開示の実施形態の態様によれば、ＦＰＥは、紙幣の特性（例えば、キャパシタンス、インピーダンス及び／又はｐＨ値）に相互に関係付けられている。
【００５３】
[0056]アクティブなＦＰＥを有する実施形態では、アクティブなＦＰＥは、メモリ内の紙幣の１つ若しくは複数の又は全ての物理的属性（例えば、セキュリティ特徴部の属性を含む）を（例えば、暗号化方式で）含むこともできる。例えば、紙幣が有効に作成されたとき、内部の全ての特徴部（ある意味では、紙幣の指紋）が紙幣のＦＰＥに記憶されるか又は書き込まれ、セキュア化される。そして、基板の一部が破壊された場合、記憶されている残りの情報又はその指紋アイデンティティが紙幣の価値を実証し、紙幣の交換価値を保持することになる。
【００５４】
[0057]さらに追加の実施形態では、少なくとも１つのＦＰＥは、少なくとも２つのＦＰＥを含み、紙幣は、複数の少なくとも２つのＦＰＥ間のＦＰＥ相互関係をさらに含む。例えば、各ＦＰＥは、異なる吸収スペクトル又は放射スペクトルを有する１組の分子で表される化学的な鍵物質を含む１つ又は複数のセキュリティ特徴部を含む。例示的な実施形態では、紙幣は、各紙幣内に配備されたセキュアなＦＰＥのｎ＊ｍ個の潜在的な組合せを与える「ｎ」個のＦＰＥ及び「ｍ」個の発光性化合物をさらに含む。本開示の実施形態の態様によれば、各紙幣は、セキュアなＦＰＥのｎ＊ｍ個の潜在的な組合せに基づいて追跡可能である。例えば、異なるＦＰＥを異なる発光と混合することによって、各々が少なくとも２つの異なるセキュリティ発光性化合物を支持する５つの埋め込まれたフレキシブルプリンテッドエレクトロニクス（ＦＰＥ）素子を有して（全てのＦＰＥは、同じ機能を仮定して、共に接続することができる）、紙幣のための組合せアイデンティティ（例えば一意のアイデンティティ）を生成することができる。
【００５５】
[0058]さらに追加の実施形態では、ＦＰＥ相互関係は、ＦＰＥとセキュリティ特徴部との間で、及び／又は複数の少なくとも２つのＦＰＥ間で、空間的関係性及び／又は相対サイズ関係性を含む。例えば、空間的関係性は、ＦＰＥトランジスタが、磁性セキュリティスレッド若しくはストライプ又はカラーシフト効果パターンから３ｃｍの距離に配置されることを含むことができる。
【００５６】
[0059]例えば、紙幣は、既存のセキュリティ特徴部を含む。ＦＰＥは１つ又は複数のセキュリティ特徴部を含み、それらのセキュリティ特徴部のうちの少なくとも１つが、５４０ｎｍの不可視範囲内の最大反射帯域を有するか、又はＦＰＥのプラスチックシート上（又は内）に配備された無機キレートを有する、例えば、最大６１７ｎｍの強力な赤色発光を有する（これは２５４ｎｍの励起下で観測することができる）、プラスチックシート上のＬＣＰ（液晶ポリマ）コーティング又はＣＬＣＰ（コレステリック液晶ポリマ）コーティングである。
【００５７】
[0060]旗（１０）に近い数値「２０」を有する紙幣（例えば、（２）及び（３））を表す図２を参照すると、本発明は、旗（１０）及び数値「２０」（例えば、それぞれ、（２）又は（３））間の距離が、ＬＣＰコーティング又はＣＬＣＰコーティングを有するＦＰＥのセキュリティ特徴部の波の長さ（例えば、他の予期される波長の中でも、５４０ｎｍ又は６１７ｎｍ）の倍数になるように（例えば、ｃｍ単位で）選択されることを予期する。さらに予期される実施形態では、旗（１０）と数値「２０」（２）との間の距離は、距離の倍数であり、このため、ＬＣＰ又はＣＬＣＰコーティングを有するＦＰＥのセキュリティ特徴部とも相互に関係付けられている。さらに予期される実施形態では、数値「２０」におけるカラーシフトは、例えば、機能化されたプラスチックシート、又はＦＰＥ若しくはＯＴＦＴの層のうちの任意の１つの反射帯域の例えば１．５倍である３６０ｎｍの反射帯域を有するカラーシフト効果（例えば、紙幣を傾けている間、色が緑から青に変化する）を有することができる。
【００５８】
[0061]更なる実施形態では、（例えば、２つのＦＰＥ間の）ＦＰＥ相互関係自体も、１つ又は複数のセキュリティ特徴部のうちの少なくとも１つと相互に関係付けることができる。例示的で非限定的な実施形態では、２つのＦＰＥにそれぞれ含まれる発光性材料間の蛍光減衰の差異は、紙幣のセキュリティ特徴部の（例えば、紙幣上の固定ロケーションからの）相対的なロケーションも表すことができる。いくつかの実施形態では、ＦＰＥ相互関係は、セキュリティ特徴部のうちの１つ又は複数と、別のＦＰＥとの間の相互関係性にそれ自体が相互に関係付けられている。例示的で非限定的な実施形態では、２つのＦＰＥにそれぞれ含まれる発光性材料間の蛍光減衰における差異は、ＦＰＥのうちの１つと紙幣のセキュリティ特徴部との間の空間分離も表すことができる。
【００５９】
[0062]本発明の態様によれば、ＦＰＥは、紙幣のセキュリティを強化するセキュアな属性を有し、セキュリティ特徴部として動作する。さらに、ＦＰＥの全てをそのような強化された方式で紙幣を保護するために用いることができるわけではない。すなわち、実施形態では、（例えば、本明細書に記載されるように）いくつかのセキュア化されたＦＰＥのみを紙幣の検証に利用することができる。実施形態では、例えば、任意の店又はロケーションにおけるＡＴＭ（又はリーダ）は、通常の紙幣において直面する既存のセキュリティ特徴部（例えば、カラーシフト特性、磁気特性又は蛍光特性）を認識し、さらに、紙幣の有効性を確認するために、本物のセキュアなＦＰＥの検証を認識する。本発明の態様によれば、一般的で既存の紙幣セキュリティ特徴部間で相互に関係付けられた特徴部が存在することにより、贋造又は流用又は偽造に対する強度及びロバスト性が増大する。
【００６０】
[0063]更なる実施形態では、１つの例示的な実施形態とのＦＰＥ相互関係は、対応テーブルを利用する。対応テーブルは、紙幣のセキュリティ特徴部（例えば、カラーシフト特性、磁気特性、発光等）の様々な可能な属性を、様々な特定の値（例えば、「Ａ」、「Ｂ」、「Ｃ」等）としてリンクする。次に、ＦＰＥは、対応テーブルからの適切な特定の値（例えば、「Ａ」、「Ｂ」、「Ｃ」等）を用いて紙幣の属性と相互に関係付けられる。すなわち、ＦＰＥは、コード「Ａ、Ｃ」を示すことができるが、実際に紙幣の属性を特定しない。紙幣の属性をＦＰＥに相互に関係付ける（又はリンクする）対応テーブルを用いることによって、ＦＰＥ自体は、紙幣の実際の属性を明らかにしない。これによって、例えば、紙幣の属性を特定するためのＦＰＥのハッキングが防止される。そのようにして、ＦＰＥは、紙幣の特性を明らかにすることなく、紙幣の特性を反映する。
【００６１】
[0064]上記で例示したように、本開示の実施形態の態様によれば、異なるセキュリティ特徴部及びＦＰＥの特性を、よりセキュアでロバストな紙幣を提供するようにリンク付けすることができる。
【００６２】
[0065]本開示の態様によれば、紙幣に含まれるＦＰＥによって提供される能力は、紙幣のための強化されたセキュリティを提供することに加えて、例えば上記で説明されるように、紙幣のための増大した機能も提供する。例えば、本開示の実施形態によれば、紙幣は、近距離通信（ＮＦＣ）デバイス、ディスプレイ等の１つ又は複数のＦＰＥを用いた機能を、紙幣交換価値自体と混合する拡張能力を有する。実施形態では、これらの増大した能力は、他の予期される能力の中でも、増大したセキュリティ特徴部及び／又は追加の通信特徴部を含むことができる。
【００６３】
[0066]例えば、実施形態では、ＦＰＥは、リアルタイムの感知能力及び／又は近距離通信（ＮＦＣ）機能を含むことができる。紙幣のＦＰＥのＮＦＣ機能は、例えば、移動電話、ＡＴＭ、メモリ、データベース、銀行口座等との通信を可能にする。例えば、ＮＦＣ  ＦＰＥは、スキャナ及び／又は移動電話と通信して、トランザクションを認証し、及び／又はトランザクションの履歴を記録するように動作可能とすることができる。実施形態では、ＦＰＥは、有効な紙幣としての認識を可能にする署名として機能する暗号化された電子信号を提供することができる。例えば、紙幣は、紙幣が作製されるときにＦＰＥのメモリに記憶された暗号化された署名を有する。本開示の実施形態によれば、ＦＰＥは、特定のリーダ（例えば、特定のＡＴＭ）によって適切に解読されるときに可読である。
【００６４】
[0067]ＦＰＥは、紙幣状態に対しアラートするセンサとすることもできる。ＦＰＥは、センサデータに加えて一意のＩＤを含む（又は符号化する）ことができ、それによって、例えば、クラウドベースのアプリケーションにおいて更なる解析のためにアラートのログをとることが可能である。
【００６５】
[0068]実施形態では、ＦＰＥは、紙幣に存在する１つ又は複数の他のＦＰＥに関連するディスプレイであってもよい。１つ又は複数のＦＰＥは、値をＦＰＥ又はクレジットカードのような即時デビットノートに転送するために、例えば、コンピュータ及び／又は移動電話、並びにユーザの銀行の紙幣の口座とインタラクトするように構成することができる。例えば、ＦＰＥは、再チャージ可能とすることができる、紙幣のための貨幣価値を記憶するように構成された揮発性メモリデバイスとすることができる。
【００６６】
[0069]センサの形態をとるときに存在するＦＰＥは、そこに存在する通信ＦＰＥと接続されることが可能であり、紙幣を複写する試みが行われるとき、（センサがこの試みを捕捉することに起因して）紙幣の中央における警告を活性化することができる。
【００６７】
[0070]本開示の実施形態によれば、紙幣は、（場合によってはクレジットカードと共に用いられる）ＮＦＣ、ディスプレイ等の１つ又は複数のＦＰＥを用いて、機能を紙幣交換価値自体と混合して、能力を拡張した。
【００６８】
[0071]ＦＰＥが、メモリ内の紙幣の（例えば、１つ又は複数の紙幣セキュリティ特徴部の）１つ又は複数の物理的属性を含むアイデンティティ（例えば、指紋アイデンティティ）を（例えば、暗号化された方式で）記憶するように動作可能な更なる実施形態では、紙幣の紙の一部が破壊された場合、紙幣上の残りの情報及び／又はＦＰＥに記憶されている紙幣の指紋アイデンティティが紙幣の価値及び信頼性を実証する。この情報を用いて紙幣を検証することができる。本発明の実施形態の態様によれば、紙幣の紙の一部が破壊されている場合であっても、紙幣は交換価値を保持する。
【００６９】
[0072]開示の実施形態によれば、紙幣のＦＰＥは、例えば、毎日支払われる請求の値及びそれらの請求の合計を通信するように動作可能である。紙幣のＦＰＥはまた、トランザクションにおいて紙幣の使用を通信するように動作可能とすることができる。本開示の実施形態では、そのＦＰＥ（又は別のＦＰＥ）は、（例えば、ＧＰＳシステムを用いて）紙幣のＦＰＥのロケーションを検出するように動作可能とすることができる。実施形態では、この情報を統計データとして用いて、例えば、どれだけの貨幣が印刷されるべきか、顧客の習慣、並びにそれぞれの紙幣の流通及び循環中の道筋を推定することができる。
【００７０】
[0073]追加のＦＰＥ機能を有する紙幣が盗難された場合、所有者は、例えば、（例えば、ストレージデバイスに）紙幣に関係するデータを既に含む移動電話を用いて、通信を（例えば、世界中の全ての銀行に）送信し、紙幣を盗難されたものとして特定し、紙幣が盗難されたものとして特定され及び／又はもはや有効でないことを確実にすることができる。他の実施形態では、ＦＰＥは、所有者に属する紙幣が用いられるとき、所有者の移動デバイスに信号を送信するように動作可能とすることができる。このため、紙幣が盗難された場合、窃盗犯が盗難された紙幣を用いようと試みるとき、所有者は通知を受け、警察に連絡することができる。埋め込まれたＦＰＥは、紙幣の追跡可能能力も提供し、それによって、例えば、盗難された紙幣のロケーションを確定することができる。
【００７１】
[0074]本開示の更なる態様によれば、ユニバーサル紙幣には、内蔵の貨幣両替能力が設けられる。すなわち、実施形態では、貨幣価値はＦＰＥによっても提供され、ＦＰＥはインタラクティブとすることができ、例えば、ユーロからドルへ、ポンドへ等の紙幣の両替を可能にする。このため、本開示の実施形態は、紙幣の所有者が管轄を出入りするときに、もはや自身の貨幣を物理的に両替する必要がなく、もはや別の国からの貨幣を取得する必要がないという更なる利点を提供する。
【００７２】
[0075]実施形態では、ＦＰＥは、例えば、ＡＴＭ又は特定の専用デバイスとインタラクトする符号化された音声メッセージも提供し、これによって、贋造に対し紙幣のセキュリティを高める。
【００７３】
[0076]いくつかの実施形態では、紙幣は、薄型のフレキシブルバッテリを備える。実施形態では、紙幣は、環境とのインタラクションを可能にする追加の能力を提供するための１つ又は複数のアクティブなＦＰＥを有することができる。アクティブなＦＰＥは、電源を必要とする場合がある。実施形態では、フレキシブルプリンテッドエレクトロニクスは、十分な電源を有する紙幣内に埋め込むことができる。実施形態では、電源は、フレキシブルバッテリ（例えば、バッテリ能力を有するグラフェンフレキシブルシート）等のバッテリとすることができる。実施形態では、電源は、バッテリとして動作する光電池とすることができる。フレキシブルで再充電可能なバッテリ、例えば、超薄型亜鉛ポリマバッテリは、一般的に用いられる産業用スクリーンプリンタ上に印刷することができる。
【００７４】
[0077]本開示の実施形態の態様によれば、ＦＰＥバッテリは、サイズが小さく、可撓性を有し、例えば、低電力無線通信センサのために十分な電流を送達することができる。実施形態では、紙幣は、再充電のためにバッテリに接続するための１つ又は複数のフレキシブル電子スロット（例えば、電気ソケット）を備えることができる。更なる実施形態では、バッテリは、（例えば、電源への物理的接続を有することなく）磁気誘導を用いて再充電可能とすることができる。
【００７５】
[0078]上述したように、ＦＰＥは、例えば、ＦＰＥの１つ又は複数の層に含まれる１つ又は複数のマーカ材料又は追跡用添加物を含むことができる。実施形態では、マーカは、１つ又は複数のアップコンバータ化合物、例えば、ＵＶ−ＵＶ若しくはＩＲ−ＩＲ無機化合物、ＵＶ−可視光若しくはＩＲ−可視光無機又は有機化合物、及び／又はＳＥＲ化合物を含むことができる。ＦＰＥの１つ又は複数の層をマーキングするための更なる適切なマーキング化合物（例えば、粒子、細片）は、米国特許出願公開第２０１３／２５６４１５号に列挙され、この特許出願公開の内容全体が参照により本明細に明示的に援用される。
【００７６】
[0079]上記の群からの異なる化合物を混合することによって、マーカの複数の異なる組合せが生成され、これによって各ＦＰＥが一意になる。この一意のＦＰＥが紙幣に挿入される（又は配置される）と、ＦＰＥ及び紙幣は贋造することが困難になる。
【００７７】
[0080]本発明の実施形態はまた、紙幣又は別の基板に挿入される（又は配置される）ことが可能なマーキングされたＦＰＥを対象とする。
【００７８】
[0081]ＦＰＥ上の検出可能なパラメータは、ＦＰＥの層のうちの任意のものに発光性材料を組み込むことによる発光に基づくことができる。発光性材料は、少なくとも１つの追加の層に、又は追加の層のみに含まれることが好ましい。発光性材料は、（特定の減衰時間特性を有するか又は有しない）１つ又は複数のランタノイド化合物を含むことができる。発光性材料は、ランタノイド化合物及びβ−ジケト化合物の少なくとも１つの錯体も含むことができる。発光性材料は、一定の波長範囲の光を放射／反射する蛍光又はリン光材料とすることができる。これは、蛍光又はリン光材料を、コーディングの一部とすることができるのみでなく、放出された光が、上の層に配設された検出可能な材料を背面照明することができ、この検出可能な材料の観測をより容易にするという二重の利点を有する。
【００７９】
[0082]また、層、好ましくは少なくとも１つの追加の層又は追加の層のみが、希土類金属（スカンジウム、イットリウム、並びにＣｅ、Ｐｒ、Ｎｄ、Ｓｍ、Ｅｕ、Ｇｄ、Ｔｂ、Ｄｙ、Ｈｏ、Ｅｒ、Ｔｍ及びＹｂ等のランタノイド）及びアクニチドの塩及び／又は錯体を含むことができる。対応する材料の特定の非限定的な例は、ジピコリン酸、４−ヒドリキシ−２，６−ピリジンジカルボン酸、４−アミノ−２，６−ピリジンジカルボン酸、４−エトキシ−２，６−ピリジンジカルボン酸、４−イソプロポキシ−２，６−ピリジンジカルボン酸、及び４−メトキシ−２，６−ピリジンジカルボン酸のうちの少なくとも１つとの、ユウロピウム、イッテルビウム及びテルビウムのキレートを含む。本発明において用いることができる顔料の非限定的な例は、開示全体が参照により本明細書に援用される、国際公開第２００８／０００７５５号に開示されている顔料を含む。
【００８０】
[0083]さらに、顔料は、全体が参照により本明細書に援用される、米国特許出願公開第２０１０／０３０７３７６号に開示されている顔料、例えば、限定ではないが、化学式：
Ｍ３［Ｌｎ（Ａ）３］
の少なくとも１つの発光性ランタノイド錯体とすることができる。
ここで、Ｍは、アルカリ陽イオンＬｉ＋、Ｎａ＋、Ｋ＋、Ｒｂ＋及びＣｓ＋並びにこれらの混合物から選択され、
Ｌｎは、Ｃｅ、Ｐｒ、Ｎｄ、Ｓｍ、Ｅｕ、Ｇｄ、Ｔｂ、Ｄｙ、Ｈｏ、Ｅｒ、Ｔｍ及びＹｂ並びにこれらの混合物の三価希土陽イオンから選択され、
Ａは、２価の負電荷を帯びた５員環又は６員環のヘテロアリール三座配位子であり、例えば、２価の負電荷を帯びた５員環又は６員環のヘテロアリール三座配位子Ａは、少なくとも１つのカルボキシル基を有するピリジン、イミダゾール、トリアゾール、ピラゾール、ピラジンから選択され、配位子Ａは、ジピコリン酸、４−ヒドロキシピリジン−２，６−ジカルボン酸、４−アミノ−２，６−ピリジンカルボン酸、４−エトキシピリジン−２，６−ジカルボン酸、４−イソプロポキシピリジン−２，６−ジカルボン酸及び／又は４−メトキシピリジン−２，６−ジカルボン酸であることが好ましく、及び／又は、Ｌｎは、ユウロピウム（Ｅｕ３＋）及び／又はテルビウム（Ｔｂ３＋）の三価イオンから選択される。さらに、少なくとも１つのカルボキシル基を有する５員環又は６員環のへテロアリールは、ヒドロキシル基、アミノ基、Ｃ１−Ｃ６アルコキシ基、例えばメトキシ基、エトキシ基、イソプロポキシ基等、又はＣ１−Ｃ６アルキル基、例えば、メチル基、エチル基、イソプロピル基等によってさらに置換することができる。
【００８１】
[0084]本発明において用いるためのＩＲ吸収体化合物の非限定的な例は、開示全体が参照により本明細書に援用される、国際公開第２００７／０６０１３３号に開示されているものを含む。特定の材料の非限定な例は、フッ化銅（ＩＩ）（ＣｕＦ２）、水酸化フッ化銅、（ＣｕＦＯＨ）、水酸化銅（Ｃｕ（ＯＨ）２）、リン酸銅（Ｃｕ３（ＰＯ４）２＊２Ｈ２Ｏ）、無水リン酸銅（Ｃｕ３（ＰＯ４）２）、塩基性リン酸銅（ＩＩ）（例えば、Ｃｕ２ＰＯ４（ＯＨ）、化学式がＣｕ３（ＰＯ４）２＊Ｃｕ（ＯＨ）２と書かれる場合がある「燐銅鉱」、Ｃｕ３（ＰＯ４）（ＯＨ）３「コルネ鉱」、Ｃｕ５（ＰＯ４）３（ＯＨ）４、「擬孔雀石」、ＣｕＡｌ６（ＰＯ４）４（ＯＨ）８＊５Ｈ２Ｏ「トルコ石」等）、ピロリン酸塩銅（ＩＩ）（Ｃｕ２（Ｐ２Ｏ７）＊３Ｈ２Ｏ）、無水ピロリン酸塩銅（ＩＩ）（Ｃｕ２（Ｐ２Ｏ７））、メタリン酸塩銅（ＩＩ）（Ｃｕ（ＰＯ３）２、より正確にはＣｕ３（Ｐ３Ｏ９）２と書かれる）、フッ化鉄（ＩＩ）（ＦｅＦ２＊４Ｈ２Ｏ）、無水フッ化鉄（ＩＩ）（ＦｅＦ２）、リン酸鉄（ＩＩ）（Ｆｅ３（ＰＯ４）２＊８Ｈ２Ｏ、「藍鉄鉱」）、リン酸リチウム鉄（ＩＩ）（ＬｉＦｅＰＯ４「三燐石」）、リン酸鉄ナトリウム（ＩＩ）（ＮａＦｅＰＯ４「マリカイト」）、ケイ酸鉄（ＩＩ）（Ｆｅ２ＳｉＯ４「鉄かんらん石」；ＦｅｘＭｇ２ｘＳｉ０４「かんらん石」）、炭酸鉄（ＩＩ）（ＦｅＣＯ３「鉄白雲石」「菱鉄鉱」）；リン酸ニッケル（ＩＩ）（Ｎｉ３（ＰＯ４）２＊８Ｈ２０）、及びメタリン酸塩チタン（ＩＩＩ）（Ｔｉ（Ｐ３Ｏ９））を含む。さらに、結晶性ＩＲ吸収剤も、混合イオン化合物であってもよく、すなわち、例えばＣａ２Ｆｅ（ＰＯ４）２＊４Ｈ２Ｏ「アナパ石」のように、２つ以上の陽イオンが結晶構造に関与している。同様に、上述した、ＯＨ−が第２のアニオンである塩基性リン酸銅のように、２つ以上のアニオンが構造に関与してもよく、又はさらにはフッ化リン酸鉄マグネシウム、ＭｇＦｅ（ＰＯ４）Ｆ「ワグネライト」のように、両方一緒に構造に関与してもよい。本発明において用いるための材料の更なる非限定的な例は、開示全体が参照により本明細書に援用される、国際公開第２００８／１２８７１４号に開示されている。
【００８２】
[0085]顔料の形態の発光性化合物は、インク及び他の調合液において広く用いられている（開示全体が参照により本明細書に援用される米国特許第６５６５７７０号、国際公開第０８０３３０５９号、国際公開第０８０９２５２２号を参照されたい）。発光性顔料の例は、遷移金属又は希土イオンから選択される少なくとも１つの発光性陽イオンをドープした非発光性陽イオンの硫化物、酸硫化物、リン酸塩、バナジン酸塩、ガーネット、スピネル等の或る部類の無機化合物において得ることができる。
【００８３】
[0086]本発明による発光性層に組み込むことができる適切な発光性化合物は、開示全体が参照により本明細書に援用される、希土類金属錯体に関係する米国特許出願公開第２０１０／０３０７３７６号に見ることができる。希土類金属錯体は、３つの２価の負電荷を帯びた５員環又は６員環のヘテロアリール三座配位子を有する三価希土イオンの発光性ランタノイド錯体から選択される。発光性インクは、電磁スペクトルの紫外及び／又は青色領域において吸収する、２価の負電荷を帯びたヘテロアリール三座配位子を有する、例えば、Ｐｒ、Ｎｄ、Ｓｍ、Ｅｕ、Ｇｄ、Ｔｂ、Ｄｙ、Ｈｏ、Ｅｒ、Ｔｍ、Ｙｂ及びこれらの混合物等の、５８〜７０の原子番号を有する三価希土陽イオンの安定した水溶性のトリス錯体を含むことができる。これらのランタノイド錯体における発光性放射は、Ｅｕ３＋の場合の５Ｄ０→７Ｆ１及び５Ｄ０→７Ｆ２等の内部ｆ殻遷移に起因する。
【００８４】
[0087]対応する発光性ランタノイド錯体は、化学式が
Ｍ３［Ｌｎ（Ａ）３］
である。
ここで、Ｍは、アルカリ陽イオンＬｉ＋、Ｎａ＋、Ｋ＋、Ｒｂ＋及びＣｓ＋並びにこれらの混合物から選択され、
Ｌｎは、Ｃｅ、Ｐｒ、Ｎｄ、Ｓｍ、Ｅｕ、Ｇｄ、Ｔｂ、Ｄｙ、Ｈｏ、Ｅｒ、Ｔｍ及びＹｂの三価希土陽イオンから選択され、
Ａは、ジピコリネート陰イオン等の２価の負電荷を帯びた５員環又は６員環のヘテロアリール三座配位子であり、錯体は、厳密な１：３（Ｌｎ：Ａ）の化学量論比を有し、２価の負電荷を帯びた５員環又は６員環のヘテロアリール三座配位子Ａは、少なくとも１つのカルボン酸基を有するピリジン、イミダゾール、トリアゾール、ピラゾール、ピラジンからなる群から選択される。少なくとも１つのカルボキシル基を有する本発明の５員環又は６員環のへテロアリールは、ヒドロキシ基、アミノ基、Ｃ１−６アルコキシ、例えばメトキシ基、エトキシ基、イソプロポキシ基等、又はＣ１−６アルキル、例えば、メチル基、エチル基、イソプロピル基等によってさらに置換することができる。
【００８５】
[0088]開示全体が参照により本明細書に援用されている、米国特許出願公開第２０１０／０３０７３７６号に記載されているように、セキュア文書に発光性化合物、特に、発光性希土類金属錯体を刷り込むための特定のプロセスは、インクジェット印刷であり、より詳細には、サーマルインクジェット印刷である。
【００８６】
[0089]本発明による発光性層に組み込むことができる他の適切な発光性化合物は、開示全体が参照により本明細書に援用される、米国特許出願公開第２０１１／０２９３８９９号に記載されている。米国特許出願公開第２０１１／０２９３８９９号に記載されているように、例えば、マーキングの目的でインクを印刷する際に用いるのに適した部類の化合物は、溶解性が増大したペリレン染料を含むペリレン染料である。親化合物ペリレンは青色蛍光を示し、多くのペリレン誘導体が知られており、これらは理論的に、印刷インク等のマーキングのための組成における着色剤として用いることができる。クアテリレン、テリレン誘導体、及び／又は毒性がないという利点も有するリボフラビン又はフラボノイド等の着色材料も、本発明の実施形態との関連で用いることができる適切な発光性化合物である。
【００８７】
[0090]実施形態では、ＦＰＥの多層構造は、上記で説明したような１つ又は複数の発光性層を含むことができ、各層は、異なる化学的及び／又は物理的特性を有する１つ又は複数の発光性化合物をさらに含むことができる。上記で述べた発光性化合物の例は、本開示との関連における非限定的な例である。実施形態では、本発明との関連で用いられる発光性化合物を含む発光性層は、部分的に不透明の層又は不透明の層とすることができる。
【００８８】
[0091]さらに予期される実施形態では、発光性化合物は、樹脂又はインク等のコーティング材料に組み込まれるとき、印刷技法、例えばインクジェット印刷又は噴射技法等の適切な技法によってランダムな分布でＦＰＥ基板上に堆積することができる。これによって、例えば、細片のランダムな分布及び／又は細片の様々なサイズに基づくことができる一意のコードの作成が可能になる。
【００８９】
[0092]本方法は、ＦＰＥをマーキングすることを含むことができ、本方法は、基板に複数のコーディング細片（coding flake）を含むマーキングを提供することと、決定的データ及び／又は非決定的データ、例えば、マーキングにおける複数のコーディング細片の少なくとも分布を表す非決定的データを読み出すことと、決定的データ及び／又は非決定的データ、例えば、マーキングにおける複数のコーディング細片の少なくとも分布を表す非決定的データをコンピュータデータベースに記録及び記憶することとを含むことができる。
【００９０】
[0093]本方法は、基板、貴重品又はアイテムを識別及び／又は認証することも含むことができる。本方法は、複数のコーディング細片を含むＦＰＥの基板に関連付けられたマーキングの決定的データ及び／又は非決定的データを読み出すことと、データベースを用いて、コンピュータを通じて、読み出されたデータを、決定的データ及び／又は非決定的データ、例えば、マーキングにおける複数のコーディング細片の少なくとも分布を表す非決定的データの、記憶されたデータと比較することとを含む。
【００９１】
[0094]非決定的データは、マーキング内の細片又は複数の細片の分布を含むことができる。さらに、１つ又は複数のマーキングにおいて、非決定的特性は、ランダムな大きさの細片とすることができる。ＦＰＥにおけるマーキングは、ＦＰＥ（及び紙幣）に、検出可能なパラメータを通じて検出可能且つ区別可能な一意の光学署名を提供する。
【００９２】
[0095]開示全体が参照により本明細書に援用される米国特許出願公開第２０１０／２００６４９号に開示されているように、アイテムをマーキング及び識別又は認証する方法は、ａ）アイテムに粒子のランダムな分布を提供するステップ（粒子は、本明細書において開示されるような細片の任意の実施形態から選択される）と、ｂ）第１の時点において、照明素子及び光検出器を備える読出しデバイスを用いて、細片のランダムな分布を表すデータを記録及び記憶するステップと、ｃ）ステップｂ）におけるような読出しデバイス、及び粒子のランダムな分布を表す記憶されたデータを用いて、後の時点においてマーキングされたアイテムを識別又は認証するステップとを含むことができる。実施形態では、ステップｂ）及びｃ）の読出しデバイスは、同じデバイスとすることができるが、同じデバイスである必要はなく、同じタイプのデバイスである必要もない。本発明の実施形態の態様によれば、本方法は、紫外、可視及び赤外電磁スペクトル、すなわち、約３００ｎｍ〜２５００ｎｍの波長から選択された少なくとも１つのスペクトルエリア内にあることが好ましい、円偏光された光成分を反射するＣＬＣＰ細片を用いることができる。
【００９３】
[0096]「読出しデバイス」という用語は、本明細書において開示されるようにマーキングされた文書（例えば紙幣）又はアイテム（例えばＦＰＥ）を識別又は認証することが可能なデバイスを指定する。これに加えて、読出しデバイスは、バーコードの読出し、画像の取得等の他の能力を有することができる。読出しデバイスは、特に、変更されたバーコードリーダ、カメラ移動電話、電子タブレット又は電子パッド、光学式スキャナ等とすることができる。読出しは、少なくとも照明素子及び光学検出素子を備える読出しデバイスを用いて行うことができ、決定されるパラメータに応じて磁気特性検出素子を含むことができる。デバイスは、全ての情報を捕捉することが可能な全ての素子を含むことができ、及び／又は、互いから１つ又は複数の特性のみを捕捉することができる複数のデバイスとすることができ、全ての収集された情報は、後処理の後に共にリンクされてコードが生成される。
【００９４】
[0097]当業者に理解されるように、本開示の態様は、システム、方法又はコンピュータプログラム製品として具体化することができる。したがって、本発明の実施形態は、完全にハードウェアの実施形態、完全にソフトウェア（トランスデューサ及びＡ／Ｄコンバータを除く）の実施形態（ファームウェア、常駐ソフトウェア、マイクロコード等を含む）、又はソフトウェアの態様とハードウェアの態様とを組み合わせた実施形態の形をとることができ、本明細書においてこれら全てを一般に「回路」、「モジュール」、「ネットワーク」又は「システム」と呼ぶことができる。さらに、本開示の態様は、媒体で具体化されたコンピュータ使用可能プログラムコードを有する任意の有形の表現媒体で具体化されたコンピュータプログラム製品の形をとることができる。
【００９５】
[0098]１つ又は複数のコンピュータ使用可能媒体又はコンピュータ可読媒体（複数可）の任意の組合せを利用することができる。コンピュータ使用可能媒体又はコンピュータ可読媒体は、限定ではないが、例えば、電子、磁気、光学、電磁、赤外線、又は半導体のシステム、装置、デバイス、又は伝播媒体とすることができる。コンピュータ可読媒体のより具体的な例（非網羅的なリスト）は、１つ若しくは複数の配線を有する電気接続、携帯型のコンピュータディスケット、ハードディスク、ランダムアクセスメモリ（ＲＡＭ）、リードオンリーメモリ（ＲＯＭ）、消去可能なプログラマブルリードオンリーメモリ（ＥＰＲＯＭ若しくはフラッシュメモリ）、光ファイバ、携帯型のコンパクトディスクリードオンリーメモリ（ＣＤＲＯＭ）、光学ストレージデバイス、インターネット若しくはイントラネットをサポートするもの等の伝送媒体、又は磁気ストレージデバイス、ｕｓｂキー、証明書、穿孔カード及び／又は移動電話を含む。
【００９６】
[0099]本文書との関連において、コンピュータ使用可能媒体又はコンピュータ可読媒体は、命令実行システム、装置若しくはデバイスによって、又は命令実行システム、装置、若しくはデバイスに関連して使用するためのプログラムを含み、記憶し、通信し、伝搬し又は伝送することができる任意の媒体とすることができる。コンピュータ使用可能媒体は、ベースバンド内に又は搬送波の一部として、それにより具体化されたコンピュータ使用可能プログラムコードを有する伝搬データ信号を含み得る。限定ではないが、無線、有線、光ファイバケーブル、ＲＦ等を含む任意の適切な媒体を使用して、コンピュータ使用可能プログラムコードを送信することができる。
【００９７】
[00100]Ｊａｖａ、Ｓｍａｌｌｔａｌｋ、Ｃ＋＋等のオブジェクト指向型プログラミング言語、及び「Ｃ」プログラミング言語又は類似のプログラミング言語等の従来の手続き型プログラミング言語を含む１つ又は複数のプログラミング言語の任意の組合せで、本発明の動作を実行するためのコンピュータプログラムコードを記述することができる。プログラムコードは、ユーザのコンピュータ上で全体的に、ユーザのコンピュータ上で部分的に、スタンドアロンソフトウェアパッケージとして、ユーザのコンピュータ上で部分的に及び遠隔のコンピュータ上で部分的に、又は遠隔のコンピュータ若しくはサーバ上で全体的に実行することができる。後者のシナリオでは、遠隔のコンピュータを、任意のタイプのネットワークを介してユーザのコンピュータに接続することができる。これは、例えば、ローカルエリアネットワーク（ＬＡＮ）若しくはワイドエリアネットワーク（ＷＡＮ）を含むことができるか、又は、（例えば、インターネットサービスプロバイダを使用してインターネットを介して）外部のコンピュータへの接続を行うことができる。さらに、実施形態では、本発明をフィールドプログラマブルゲートアレイ（ＦＰＧＡ）において具体化することができる。
【００９８】
[00101]図１は、本明細書に説明される実施形態による使用のための例示的なシステムである。システム１００は包括的に示され、包括的に示されるコンピュータシステム１０２を備えることができる。コンピュータシステム１０２は、スタンドアロンデバイスとして動作することもできるし、又は他のシステム若しくは周辺デバイスに接続することもできる。例えば、コンピュータシステム１０２は、任意の１つ若しくは複数のコンピュータ、サーバ、システム、通信ネットワーク若しくはクラウド環境を含むか又はこれらに含まれることができる。コンピュータシステム１０２は、ネットワーク環境内のサーバの能力において動作することができるか、又はネットワーク環境内のクライアントユーザコンピュータの能力において動作することができる。コンピュータシステム１０２又はそれらの一部は、パーソナルコンピュータ、タブレットコンピュータ、セットトップボックス、携帯情報端末、モバイルデバイス、パームトップコンピュータ、ラップトップコンピュータ、デスクトップコンピュータ、通信デバイス、無線電話、個人信用デバイス、ウェブ機器等の様々なデバイス、又は、そのデバイスによってとられるアクションを指定する１組の命令（シーケンシャル命令又は他の命令）を実行することが可能な任意の他のマシンとして実施するか、又はこれらに組み込むことができる。さらに、単一のコンピュータシステム１０２が示されているが、更なる実施形態は、命令を個々に又は共同で実行し、機能を実施するシステム又はサブシステムの任意の集合を含むことができる。
【００９９】
[00102]図１に示すように、コンピュータシステム１０２は、例えば、中央処理ユニット、グラフィック処理ユニット又は双方等の少なくとも１つのプロセッサ１０４を含むことができる。コンピュータシステム１０２は、コンピュータメモリ１０６も含むことができる。コンピュータメモリ１０６は、スタティックメモリ、ダイナミックメモリ又は双方を含むことができる。コンピュータメモリ１０６は、さらに又は代替的に、ハードディスク、ランダムアクセスメモリ、キャッシュ、又はこれらの任意の組合せを含むことができる。当然ながら、当業者であれば、コンピュータメモリ１０６が既知のメモリ又は単一のストレージの任意の組合せを含むことができることを認識する。
【０１００】
[00103]図１に示すように、コンピュータシステム１０２は、液晶ディスプレイ、有機発光ダイオード、フラットパネルディスプレイ、ソリッドステートディスプレイ、陰極線管、プラズマディスプレイ、又は任意の他の既知のディスプレイ等のコンピュータディスプレイ１０８を含むことができる。コンピュータシステム１０２は、キーボード、無線キーボードを有する遠隔制御デバイス、音声認識エンジンに結合されたマイクロフォン、ビデオカメラ若しくは静止カメラ等のカメラ、カーソル制御デバイス、又はこれらの任意の組合せ等の少なくとも１つのコンピュータ入力デバイス１１０を含むことができる。当業者は、コンピュータシステム１０２の様々な実施形態が、複数の入力デバイス１１０を含むことができることを認識する。さらに、当業者は、上記で列挙した例示的な入力デバイス１１０は、包括的であることを意図しておらず、コンピュータシステム１０２は、任意の追加の又は代替の入力デバイス１１０を含むことができることをさらに理解する。
【０１０１】
[00104]コンピュータシステム１０２は、媒体リーダ１１２及びネットワークインタフェース１１４も含むことができる。さらに、コンピュータシステム１０２は、限定ではないが出力デバイス１１６等のコンピュータシステムと共に又はこの中に含まれるものとして一般的に既知であり、理解されている、任意の更なるデバイス、構成要素、部品、周辺機器、ハードウェア、ソフトウェア、又はこれらの任意の組合せを含むことができる。出力デバイス１１６は、限定ではないが、スピーカ、オーディオ出力、ビデオ出力、遠隔制御出力、又はこれらの任意の組合せとすることができる。さらに、図１に示すように、コンピュータシステム１０２は、紙幣上の１つ又は複数のタイプのセキュリティ特徴部を読み出すための読出しデバイス１３０も備えることができる。また図１に示すように、コンピュータシステム１０２は、ＦＰＥ（例えばＮＦＣ  ＦＰＥ又は符号化された情報を含むＦＰＥ）を読み出し及び／又はＦＰＥと通信するための１つ又は複数のＦＰＥ読出し／通信デバイス１４０も備えることができる。
【０１０２】
[00105]コンピュータシステム１０２の構成要素の各々は、バス１１８を介して相互接続され、通信することができる。図１に示すように、構成要素は各々が、内部バスを介して相互接続され、通信することができる。一方、当業者は、構成要素の内の任意のものが、拡張バスを介して接続されてもよいことを認識する。さらに、バス１１８は、限定ではないが、周辺構成要素相互接続、周辺構成要素相互接続エクスプレス、パラレルアドバンストテクノロジーアタッチメント、シリアルアドバンストテクノロジーアタッチメント等の、一般的に既知であり、理解されている任意の規格又は他の仕様を介して通信を可能にすることができる。
【０１０３】
[00106]コンピュータシステム１０２は、ネットワーク１２２を介して１つ又は複数の追加のコンピュータデバイス１２０と通信することができる。ネットワーク１２２は、限定ではないが、ローカルエリアネットワーク、広域ネットワーク、インターネット、電話網、又は当該技術分野において一般的に既知であり、理解されている任意の他のネットワークとすることができる。ネットワーク１２２は、図３において、無線ネットワークとして示されている。一方、当業者は、ネットワーク１２２を有線ネットワークとすることもできることを認識する。
【０１０４】
[00107]更なるコンピュータデバイス１２０が図１においてパーソナルコンピュータとして示されている。一方、当業者は、本出願の代替的な実施形態において、デバイス１２０を、ラップトップコンピュータ、タブレットＰＣ、携帯情報端末、モバイルデバイス、パームトップコンピュータ、デスクトップコンピュータ、通信デバイス、無線電話、個人信用デバイス、ウェブ機器、又は、デバイスによってとられるアクションを指定する、シーケンシャル命令若しくは他の命令である１組の命令を実行することが可能な任意の他のデバイスとすることができることを認識する。当然ながら、当業者は、上記で列挙したデバイスは単なる例示的なデバイスであり、デバイス１２０は、本出願の範囲から逸脱することなく当該技術分野において一般的に知られ、理解されている任意の更なるデバイス又は装置とすることができることを認識する。さらに、当業者は同様に、デバイスを、デバイス及び装置の任意の組合せとすることができることを理解する。
【０１０５】
[00108]当然ながら、当業者は、コンピュータシステム１０２の上記で列挙した構成要素が、単に例示であることが意図され、包括的及び／又は包含的であることを意図していないことを認識する。さらに、上記で列挙した構成要素の例も例示的であるように意図され、同様に包括的及び／又は包含的であることを意図されていない。
【０１０６】
[00109]図３は、本開示の実施形態による例示的な紙幣を概略的に示す。図３に示すように、紙幣は１つ又は複数のセキュリティ特徴部１１を含む。実施形態において、１つ又は複数のセキュリティ特徴部は、例えば、シリアル番号と、セキュリティインクで作製された印刷されたパターン、設計又はコードと、凹版印刷パターン又は設計と、セキュリティスレッド又はストライプと、窓と、繊維と、硬貨地板と、箔と、デカールと、ホログラムと、マイクロ印刷と、３Ｄ（３次元）セキュリティリボンと、透かしとを含むことができる。紙幣は、１つ又は複数のＦＰＥ１２をさらに含む。実施形態では、１つ又は複数のＦＰＥ１２は、インク印刷技法によって作成することができる有機薄膜トランジスタ（ＯＴＦＴ）又は有機エレクトロニクスとすることができる。いくつかの実施形態では、ＦＰＥ素子は、ＲＦＩＤ、センサ、トランジスタ、フレキシブルディスプレイ（例えば、ＯＬＥＤ薄型ディスプレイ）、フレキシブルバッテリ、電子チップ、メモリ、フレキシブル近距離通信（ＮＦＣ）デバイス、及びフレキシブル通信デバイス、インテリジェントタグ、広域センサ、スマートラベル、フレキシブルメモリ及び／又は集積回路のうちの少なくとも１つを含む。図３に示すように、ＦＰＥ１２は、例えば、ＦＰＥ１２の層に埋め込まれた、１つ又は複数の検出可能な特性１３（例えば、粒子の蛍光減衰）を含むことができる。本開示の態様によれば、セキュリティ特徴部１１のうちの少なくとも１つは、少なくとも１つのＦＰＥ１２と相互に関係付けられる。
【０１０７】
[00110]図４及び図５は、本開示の実施形態の態様を実行するための例示的なフローを示す。図４及び図５のステップは、例えば、図１の環境において実施することができる。流れ図は、本開示の実施形態の高レベルのブロック図を等しく表すことができる。図４及び図５のフローチャート及び／又はブロック図は、本開示の様々な実施形態によるシステム、方法及びコンピュータプログラム製品の可能な実施態様のアーキテクチャ、機能及び動作を示す。これに関して、フローチャート又はブロック図における各ブロックは、指定された論理機能（複数可）を実施するための１つ又は複数の実行可能な命令を含む、モジュール、セグメント、又はコードの部分を表すことができる。いくつかの代替的な実施態様において、ブロックにおいて示される機能は、図に示すのと異なる順序で行うことができることにも留意するべきである。例えば、連続して示されている２つのブロックは、実際には、実質的に同時に実行される場合があり、又はこのブロックは、時として、関与する機能に応じて逆の順序で実行される場合がある。フローチャートの各ブロック、及びフローチャート図の組合せを、特定された機能又は作用を実行する専用ハードウェアベースのシステム、又は上記のように、専用ハードウェアとコンピュータ命令及び／又はソフトウェアとの組合せによって実施することができる。さらに、流れ図のステップは、クライアント−サーバの関係において、サーバから実施及び実行することもできるし、ユーザワークステーションに伝達された動作情報を用いてユーザワークステーション上で実行することもできる。実施形態では、ソフトウェア要素は、ファームウェア、常駐ソフトウェア、マイクロコード等を含む。
【０１０８】
[00111]さらに、本発明は、コンピュータ又は任意の命令実行システムによる又はこれに関連する使用のためのプログラムコードを提供するコンピュータ使用可能媒体又はコンピュータ可読媒体からアクセス可能なコンピュータプログラム製品の形をとることができる。ソフトウェア及び／又はコンピュータプログラム製品は、図１の環境において実施することができる。この説明において、コンピュータ使用可能媒体又はコンピュータ可読媒体は、命令実行システム、命令実行装置、又は命令実行デバイスによる又はこれに関連する使用のためのプログラムを含み、記憶し、通信し、伝搬し、又は搬送することができる任意の装置とすることができる。媒体は、電子、磁気、光、電磁、赤外線、又は半導体のシステム（又は装置若しくはデバイス）又は伝搬媒体とすることができる。コンピュータ可読ストレージ媒体の例は、半導体メモリ若しくはソリッドステートメモリ、磁気テープ、取り外し可能コンピュータディスケット、ランダムアクセスメモリ（ＲＡＭ）、リードオンリーメモリ（ＲＯＭ）、リジッド磁気ディスク、及び光ディスクを含む。光ディスクの現在の例は、コンパクトディスク−リードオンリーメモリ（ＣＤ−ＲＯＭ）、書換え可能コンパクトディスク（ＣＤ−Ｒ／Ｗ）、及びＤＶＤを含む。
【０１０９】
[00112]図４は、本開示の実施形態の態様による、少なくとも１つのＦＰＥと、紙幣の１つ又は複数のセキュリティ特徴部との間の相互関係性を生成するための例示的なフロー４００を示す。
【０１１０】
[00113]図４に示すように、ステップ４０５において、測定ツール（例えば、図１に示すセキュリティ特徴部検出デバイス）は、紙幣の１つ又は複数のセキュリティ特徴部を検出（又は捕捉）するように動作可能である。当業者によって理解されるべきであるように、いずれのセキュリティ特徴部が利用されるかに依拠して、１つ又は複数の異なる測定ツールを用いることができる（例えば、マイクロフォン、カメラ等）。ステップ４１０において、システムは、１つ又は複数のセキュリティ生体特徴部に基づいて、符号化されたセキュリティ識別子を作成するように動作可能である。ステップ４１５において、システムは、（例えば、アイテムのアイテムシリアル番号を用いて）アイテムにリンクされたストレージシステム（例えば、データベース）にセキュリティ識別子を記憶するように動作可能である。ステップ４１５において、システムは、識別子を用いてＦＰＥを符号化し、セキュリティ特徴部及びＦＰＥを相互に関係付けるように動作可能である。
【０１１１】
[00114]図５は、本開示の実施形態の態様による、紙幣を認証するための例示的なフロー５００を示す。
【０１１２】
[00115]図５に示すように、ステップ５０５において、測定ツール（例えば、図１に示すセキュリティ特徴部検出デバイス）は、紙幣の１つ又は複数のセキュリティ特徴部を検出（又は捕捉）するように動作可能である。ステップ５１０において、システムは、１つ又は複数の測定されたセキュリティ特徴部に基づいて、測定されたセキュリティ識別子を生成するように動作可能である。ステップ５１５において、システムは、記憶されたセキュリティ特徴部識別子を符号化するＦＰＥを検出及び解析するように動作可能である。任意選択的なステップ５２５において、システムは、（例えば、アイテムシリアル番号を用いて）アイテムのためのストレージシステムから記憶されたセキュリティ識別子を取り出すことができる。
【０１１３】
[00116]ステップ５３０において、システムは、測定されたセキュリティ識別子を、ＦＰＥからの復号されたセキュリティ識別子と比較するように動作可能である。ステップ５３５において、システムは、測定されたセキュリティ識別子が、ＦＰＥからの復号されたセキュリティ識別子と合致するか否かを判断するように動作可能である。ステップ５３５において、システムが、測定されたセキュリティ識別子がＦＰＥからの復号されたセキュリティ識別子と合致すると判断する場合、ステップ５４０において、紙幣は、本物であると判断される。ステップ５３５において、システムが、測定されたセキュリティ識別子がＦＰＥからの復号されたセキュリティ識別子と合致しないと判断する場合、ステップ５４５において、紙幣は本物でないと判断される。
【０１１４】
[00117]したがって、本開示は、様々なシステム、サーバ、方法、媒体及びプログラムを提供する。本開示はいくつかの例示的な実施形態を参照して説明されたが、用いられた語句は、限定の語句ではなく、説明及び例示の語句であることが理解される。現時点で示され、補正される添付の特許請求の範囲内で、開示の範囲及び趣旨から態様が逸脱することなく、変更を行うことができる。本開示は、特定の材料及び実施形態を参照して説明されたが、本発明の実施形態は、開示される詳細に限定されることを意図されるものではなく、本発明は、添付の特許請求の範囲内にあるような全ての機能的に等価な構造、方法及び使用に拡張される。
【０１１５】
[00118]コンピュータ可読媒体は、単一の媒体として示される場合があるが、用語「コンピュータ可読媒体」は、１つ又は複数の組の命令を記憶する中央データベース又は分散データベース、及び／又は関連するキャッシュ及びサーバ等、単一の媒体又は複数の媒体を含む。用語「コンピュータ可読媒体」はまた、プロセッサによる実行のための１組の命令を記憶、符号化若しくは搬送することができるか、又はコンピュータシステムに、本明細書に開示される実施形態のうちの任意の１つ若しくは複数を行わせる、任意の媒体も含むものとする。
【０１１６】
[00119]コンピュータ可読媒体は、１つ又は複数の非一時的コンピュータ可読媒体を含み、及び／又は１つ又は複数の一時的コンピュータ可読媒体を含むことができる。特定の非限定的な例示的実施形態では、コンピュータ可読媒体は、１つ又は複数の不揮発性リードオンリーメモリが入っているメモリカード又は他のパッケージ等のソリッドステートメモリを含むことができる。さらに、コンピュータ可読媒体は、ランダムアクセスメモリ又は他の揮発性書換え可能メモリであってもよい。さらに、コンピュータ可読媒体は、伝送媒体を介して伝達される信号等の搬送波信号を取り込むディスク若しくはテープ又は他のストレージデバイス等の光磁気媒体又は光媒体を含むことができる。したがって、本開示は、データ又は命令を記憶することができる任意のコンピュータ可読媒体又は他の同等物及び後継媒体を含むと考えられる。
【０１１７】
[00120]本出願は、コンピュータ可読媒体におけるコードセグメントとして実装され得る特定の実施形態を説明しているが、特定用途向け集積回路、プログラマブル論理アレイ、及び他のハードウェアデバイス等の専用ハードウェア実装が本明細書に説明された実施形態のうちの１つ又は複数を実施するために構築され得ることを理解されたい。本明細書において示された様々な実施形態を含み得る応用例は、多岐にわたる電子システム及びコンピュータシステムを広く含み得る。したがって、本出願は、ソフトウェア、ファームウェア、及びハードウェア実装、又はそれらの組合せを含み得る。
【０１１８】
[00121]本明細書は特定の規格及びプロトコルに関連して特定の実施形態において実装され得る構成要素及び機能を説明しているが、本開示は、そのような規格及びプロトコルに限定されない。そのような規格は、本質的に同じ機能を有するより高速の均等物又はより効率的な均等物により定期的に取って代わられる。したがって、同一又は同様の機能を有する代替の規格及びプロトコルが、そのような規格及びプロトコルの均等物と考えられる。
【０１１９】
[00122]本明細書に説明された実施形態の図示は、様々な実施形態の一般的な理解を提供するように意図される。図示は、本明細書に説明された構造又は方法を利用する装置及びシステムの要素及び特徴の全ての完全な説明としての役割を果たすように意図されたものではない。多くの他の実施形態が、本開示を検討すると当業者に明らかであり得る。他の実施形態が、利用され、本開示から導かれ得るので、構造的及び論理的な置き換え及び変更が、本開示の範囲から逸脱せずに行われ得る。加えて、図示は単に具象的であるにすぎず、縮尺どおりに描かれていない場合がある。図示内のある特定の比率は誇張され得る一方で、他の比率は最小化され得る。したがって、本開示及び図面は、限定的ではなく例示的であると考えられるべきである。
【０１２０】
[00123]本開示の１つ又は複数の実施形態は、本明細書において、単に便宜的に、且つ、本出願の範囲を任意の特定の発明又は発明の概念に自発的に限定することを意図せずに、個々に及び／又は集合的に、「本発明」という用語で呼ばれ得る。さらに、特定の実施形態が本明細書において例示及び説明されているが、同じ又は同様の目的を達成するように設計された任意の後続の構成が、示された特定の実施形態と置き換えられ得ることが理解されるべきである。本開示は、様々な実施形態の任意の及び全ての後続の適合又は変形を包含するように意図される。上記の実施形態の組合せ、及び、本明細書に特に説明されていない他の実施形態が、この説明を検討すると当業者に明らかであろう。
【０１２１】
[00124]
要約
上記で開示された主題は、例示的であると考えられ、制限的であるとは考えられず、添付の特許請求の範囲は、本開示の真の趣旨及び範囲に入る全ての変更、改善及び他の実施形態を包含するように意図される。このため、法が許す最大の範囲で、本開示の範囲は、以下の特許請求の範囲及びそれらの等価物の最も広い許容可能な解釈によって決定され、上記の詳細な説明によって制約も限定もされないものとする。
【０１２２】
[00125]
したがって、新規のアーキテクチャは、添付の特許請求の範囲の趣旨及び範囲に入る全ての改変、変更、変形を包含することが意図される。さらに、用語「含む、備える（include）」が詳細な説明又は特許請求の範囲において用いられる限り、そのような用語は、用語「含む、備える（comprising）」が請求項において遷移語として用いられるときに解釈されるときの「含む、備える（comprising）」と同様に包括的であることが意図される。
【０１２３】
[00126]
本発明は特定の実施形態を参照して説明されたが、当業者は、本発明の真の趣旨及び範囲から逸脱することなく、様々な変化を加えることができ、その要素を均等物で置き換えることができることを理解するであろう。さらに、本発明の本質的な教示から逸脱することなく変更を行うことができる。
【０１２４】
[00127]
例えば、本開示は、紙幣を参照して説明されたが、本開示は、パスポート及び他のセキュリティ文書、芸術作品、動物の皮、宝石用原石及び／又はコピー若しくは偽造を受けやすい他の製品等の他の製品と共に利用することもできる。
【図１】
2017532656.tif 000003
【図２】
2017532656.tif 000004
【図３】
2017532656.tif 000005
【図４】
2017532656.tif 000006
【図５】
2017532656.tif 000007
【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
１つ又は複数のセキュリティ特徴部と、
紙幣に埋め込まれた少なくとも２つのフレキシブルプリンテッドエレクトロニクス（ＦＰＥ）素子であって、該少なくとも２つのＦＰＥ素子のうちの少なくとも１つと前記１つ又は複数のセキュリティ特徴部のうちの少なくとも１つとが互いに相互関係性を有し、該少なくとも２つのＦＰＥ素子のうちの複数が互いに相互関係性を有する、ＦＰＥ素子と
を備える紙幣において、
前記ＦＰＥ要素の各々が、異なる吸収スペクトル又は放射スペクトルを有する１組の分子で表される化学的な鍵物質を含む１つ又は複数のセキュリティ特徴部を含み、当該紙幣が、当該紙幣の各々に配備されたセキュアなＦＰＥのｎ＊ｍ個の潜在的な組合せを与える「ｎ」個のＦＰＥ及び「ｍ」個の発光性化合物を含むことが好ましいことを特徴とする、紙幣。
【請求項２】
前記ＦＰＥ素子はパッシブ電子素子又はアクティブ電子素子である、請求項１に記載の紙幣。
【請求項３】
前記紙幣が製造されるときに前記ＦＰＥのメモリに記憶された暗号化された署名をさらに備え、
前記ＦＰＥは、特定の現金自動預入支払機（ＡＴＭ）又はリーダによって適切に復号されるときに可読である、請求項１又は２に記載の紙幣。
【請求項４】
前記相互関係性は、前記紙幣を認証するために検証可能である、請求項１〜３のいずれか一項に記載の紙幣。
【請求項５】
前記相互関係性は、前記１つ又は複数のセキュリティ特徴部のうちの第１のセキュリティ特徴部の特性と、前記１つ又は複数のセキュリティ特徴部のうちの第２のセキュリティ特徴部の特性との間の係数及び倍数のうちの１つを含む、請求項１〜４のいずれか一項に記載の紙幣。
【請求項６】
少なくとも１つのＦＰＥ素子は、無線自動識別装置（ＲＦＩＤ）、センサ、トランジスタ、フレキシブルディスプレイ、フレキシブルバッテリ、電子チップ、メモリ、フレキシブル近距離通信（ＮＦＣ）デバイス及びフレキシブル通信デバイスからなる群から選択された１つ又は複数の要素を備える、請求項１〜５のいずれか一項に記載の紙幣。
【請求項７】
前記センサ又は前記トランジスタは解析能力を有し、好ましくは、前記センサ又は前記トランジスタは、キャパシタンス、インピーダンス、及び前記紙幣のｐＨ値のうちの少なくとも１つを検出するように動作可能である、請求項６に記載の紙幣。
【請求項８】
前記１つ又は複数のセキュリティ特徴部は、シリアル番号と、セキュリティインクで作製された印刷されたパターンと、設計又はコードと、凹版印刷パターン又は設計と、セキュリティスレッド又はストライプと、窓と、繊維と、硬貨地板と、箔と、デカールと、ホログラムと、マイクロ印刷と、微細線印刷パターンと、３次元（３Ｄ）セキュリティリボンと、透かしとからなる群から選択される、請求項１〜７のいずれか一項に記載の紙幣。
【請求項９】
前記ＦＰＥ素子は、１つ又は複数の印刷された層を備え、前記１つ又は複数の印刷された層のうちの少なくとも１つは１つ又は複数のマーカ材料又は追跡用添加物を含む、請求項１〜８のいずれか一項に記載の紙幣。
【請求項１０】
少なくとも１つのプラスチック層及び少なくとも１つの有機層を有する有機薄膜トランジスタをさらに備え、
前記１つ又は複数のセキュリティ特徴部は、前記有機薄膜トランジスタ内に無機分子及び蛍光分子のうちの少なくとも１つを含む、請求項１〜９のいずれか一項に記載の紙幣。
【請求項１１】
薄型のフレキシブルバッテリを含み、
前記少なくとも２つのＦＰＥ素子のうちの少なくとも１つが、前記薄型のフレキシブルバッテリにより電力が与えられるアクティブなＦＰＥである、請求項１に記載の紙幣。
【請求項１２】
ＦＰＥの前記相互関係性は、前記少なくとも２つのＦＰＥ素子のうちの複数間で、空間的関係性及び／又は相対サイズ関係性を含む、請求項１に記載の紙幣。
【請求項１３】
ＦＰＥの前記相互関係性自体が、前記１つ又は複数のセキュリティ特徴部のうちの少なくとも１つと相互に関係付けられているか、又はＦＰＥの前記相互関係性自体が、前記１つ又は複数のセキュリティ特徴部と少なくとも１つのＦＰＥとの間の相互関係性と相互に関係付けられている、請求項１に記載の紙幣。
【請求項１４】
紙幣を作製する方法であって、
１つ又は複数のセキュリティ特徴部を備える紙幣を用意するステップと、
前記紙幣に少なくとも２つのフレキシブルプリンテッドエレクトロニクス（ＦＰＥ）素子を含めるステップと
を含み、
前記１つ又は複数のセキュリティ特徴部のうちの少なくとも１つと少なくとも２つのＦＰＥ素子のうちの少なくとも１つとが互いとの相互関係性を有し、
前記少なくとも２つのＦＰＥ素子のうちの複数が互いに相互関係性を有し、
前記ＦＰＥ素子の各々が、異なる吸収スペクトル又は放射スペクトルを有する１組の分子で表される化学的な鍵物質を含む１つ又は複数のセキュリティ特徴部を含み、前記紙幣が、前記紙幣の各々に配備されたセキュアなＦＰＥのｎ＊ｍ個の潜在的な組合せを与える「ｎ」個のＦＰＥ及び「ｍ」個の発光性化合物を含むことが好ましい、紙幣を作製する方法。
【請求項１５】
請求項１に記載の紙幣を認証する方法であって、
前記紙幣の１つ又は複数のセキュリティ特徴部を検出するステップと、
前記紙幣内の少なくとも１つのフレキシブルプリンテッドエレクトロニクス（ＦＰＥ）素子を検出するステップであって、前記１つ又は複数のセキュリティ特徴部のうちの少なくとも１つと少なくとも１つのＦＰＥ素子とが互いに相互関係性を有する、ステップと、
適正な相互関係を検証して前記紙幣を認証するステップと
を含む、紙幣を認証する方法。
【国際調査報告】
2017532656.tif 000008
2017532656.tif 000009
2017532656.tif 000010
2017532656.tif 000011
2017532656.tif 000012